(57)【特許請求の範囲】
【請求項１】
芯材の両面に板材よりなる表面材を貼合せ、所要部位に小窓が設けられた小窓付きパネルに於いて、両表面材に小窓用の開口部が設けられ、前記両表面材の前記開口部周縁の所要位置に内側に直角に曲げられた曲げ片をそれぞれ位置をずらして互いに干渉しない様設け、前記両表面材の前記開口部の周縁に外側から枠材を取付け、該枠材を前記両表面材の曲げ片に掛渡って螺子止めしたことを特徴とする小窓付きパネル。
【発明の詳細な説明】
【技術分野】
【０００１】
本発明は、ドア、或は仕切り用パネル等のパネルに関し、特に小窓が設けられた小窓付きパネルに関するものである。
【背景技術】
【０００２】
ドア、或は仕切り用パネルには、採光用、透視用の小窓が設けられる場合があり、特に間仕切り用ドア等には採光用の小窓が設けられることが多い。
【０００３】
図３は、一例として間仕切り用ドア１を示しており、該間仕切り用ドア１は上半部に採光用の小窓２が設けられている。該小窓２は、ドア本体３に窓用の開口が設けられ、該開口に小窓枠４が取付けられ、該小窓枠４に窓ガラス５又はアクリル等の窓板が嵌込まれる構造となっている。
【０００４】
図４により従来の小窓について説明する。
【０００５】
前記ドア本体３用のパネル６は、芯材７の両面に表面材８が貼設された構造となっており、小窓用の開口部の周縁は補助材９により枠取られている。一般に、前記芯材７の材料としては紙が用いられ、前記表面材８の材料としては鋼板、アルミ板、ステンレス板等の金属板、前記補助材９の材料としては木材、鉄材、アルミ材等が用いられる。又、前記開口部の周縁には前記窓ガラス５保持用の枠材１１，１２が設けられ、該枠材１１，１２にビード１３を介して前記窓ガラス５が挾持される様になっている。
【０００６】
前記パネル６は、開口部が設けられた前記芯材７の開口部周縁に前記補助材９を配設した状態で、その両面に前記表面材８を接着剤を介在させてプレス圧着することで製作される。
【０００７】
又、前記枠材１１、前記枠材１２、前記窓ガラス５の取付け手順としては、先ず前記枠材１２を螺子１６により前記補助材９に固着し、前記螺子１６と前記窓ガラス５（又は窓板）とが接触しない様にスペーサ１７を設け、前記窓ガラス５の周縁部が前記スペーサ１７、前記ビード１３に囲まれる様に前記窓ガラス５を設け、最後に前記枠材１１を螺子１８により前記補助材９に固着する。
【０００８】
上記した従来の小窓付きパネルでは、前記小窓２が設けられる場合は、該小窓２周縁部の補強の為前記補助材９を必要とし、又前記枠材１１，１２を螺子止めする為の部材として、前記補助材９を必要とし、該補助材９がコストアップの要因となっていた。
【０００９】
又、前記表面材８をプレス圧着で貼設する工程で、前記芯材７、前記補助材９が前記表面材８に対してずれを生じ、前記小窓２が収まらなくなる可能性があり、該小窓２が収まらない場合は、前記枠材１１，１２を削る等の手直しが必要となり、或は前記表面材８の貼直し、再製作が必要となる虞れもあった。
【００１０】
尚、小窓が設けられたドアとしては、特許文献１、特許文献２に示されるものがある。
【００１１】
【特許文献１】実開平５−８３２７３号公報
【００１２】
【特許文献２】特開平８−４４３１号公報
【発明の開示】
【発明が解決しようとする課題】
【００１３】
本発明は斯かる実情に鑑み、小窓付きパネルを構成する部材を少なくし、又製作時の手直し、再製作を防止し、製作費の低減を図るものである。
【課題を解決するための手段】
【００１４】
本発明は、芯材の両面に板材よりなる表面材を貼合せ、所要部位に小窓が設けられた小窓付きパネルに於いて、前記表面材に小窓用の開口部が設けられ、前記表面材の少なくとも一方の表面材の前記開口部周縁に内側に曲げられた曲げ片を設け、両パネルの前記開口部の周縁に外側から枠材を取付け、該枠材を前記曲げ片に螺子止めした小窓付きパネルに係り、又前記曲げ片は前記開口部周縁の所要位置に短冊状に設けられた小窓付きパネルに係り、更に又前記曲げ片は前記開口部周縁の全長又は略全長に亘って設けられた小窓付きパネルに係るものである。
【発明の効果】
【００１５】
本発明によれば、芯材の両面に板材よりなる表面材を貼合せ、所要部位に小窓が設けられた小窓付きパネルに於いて、前記表面材に小窓用の開口部が設けられ、前記表面材の少なくとも一方の表面材の前記開口部周縁に内側に曲げられた曲げ片を設け、両パネルの前記開口部の周縁に外側から枠材を取付け、該枠材を前記曲げ片に螺子止めしたので、前記芯材は前記曲げ片に位置決めされ、前記芯材に前記表面材を貼合せる際の位置ずれが防止される。
【００１６】
又本発明によれば、前記曲げ片は前記開口部周縁の所要位置に短冊状に設けられたので、枠材取付け時に前記曲げ片を変形させることにより組立て誤差が吸収される。
【００１７】
更に又本発明によれば、前記曲げ片は前記開口部周縁の全長又は略全長に亘って設けられたので、パネルの前記開口部の周縁部が補強される等の優れた効果を発揮する。
【発明を実施するための最良の形態】
【００１８】
以下、図面を参照しつつ本発明を実施する為の最良の形態を説明する。
【００１９】
図１は、本実施の形態に係るドアの右半分の分解斜視図であり、外観については図３で示した従来のドアと同様であり、図２は図３のＡ−Ａ矢視相当図である。尚、図１中、芯材７は省略して示している。
【００２０】
鋼製、アルミ製、ステンレス製等金属製の板材よりなる表面材２１，２２の上端部、下端部はそれぞれ内側に曲げられ、又前記表面材２１，２２の相対向する所要部位に開口部２３，２４が形成される。又、前記表面材２１の前記開口部２３の４辺には、縦辺１箇所、横辺２箇所、それぞれ９０°内側に折曲げられた短冊状の曲げ片２５が形成され、前記表面材２２の前記開口部２４の４辺には、縦辺２箇所、横辺１箇所にそれぞれ９０°内側に折曲げられた短冊状の曲げ片２６が形成されている。又、前記曲げ片２５と前記曲げ片２６とは互いに位置がずれて形成され、前記曲げ片２５と前記曲げ片２６とは干渉しない様になっている。
【００２１】
前記表面材２１，２２の材質は、合成樹脂製等の常温及び／又は低温、高温にて折曲げ加工のできる金属板以外の板材（好ましくは硬質なもの）に置換えることも可能である。
【００２２】
概略パネル状に構成された前記芯材７を介在して該芯材７の両面に前記表面材２１と前記表面材２２とを配設し、前記表面材２１と前記表面材２２を接着剤により前記芯材７にプレス圧着する。
【００２３】
前記芯材７を前記表面材２１と前記表面材２２の間に配設する場合に於いて、前記表面材２１と前記表面材２２の上端部、下端部が屈曲され、前記曲げ片２５、前記曲げ片２６が形成されているので、前記上端部、前記下端部、前記曲げ片２５、前記曲げ片２６は前記芯材７の位置決め部材となり、前記表面材２１、前記表面材２２を前記芯材７にプレス圧着した場合に位置ずれを起すことを抑制できる。
【００２４】
前記芯材７に前記表面材２１、前記表面材２２が貼設されることで、ドア本体用のパネル２７が構成され、前記開口部２３、前記開口部２４によって窓開口部が形成される。窓開口部の周縁に枠材１２が取付けられ、該枠材１２は螺子１６によって前記曲げ片２５、前記曲げ片２６に固着される。前記螺子１６と窓ガラス５（又は窓板）とが接触しない様にスペーサ１７を設け、前記窓ガラス５（又は窓板）の周縁部が前記スペーサ１７、ビード１３に囲まれる様に前記窓ガラス５を設け、最後に枠材１１を螺子１８により前記曲げ片２５、前記曲げ片２６に固着する。
【００２５】
又、前記枠材１２が前記表面材２２と前記曲げ片２５に掛渡って取付けられ、同様に前記枠材１１が前記表面材２１と前記曲げ片２６とに掛渡って取付けられる為、前記曲げ片２５、前記曲げ片２６の前記芯材７からの剥がれ、浮上がりが防止される。
【００２６】
尚、前記曲げ片２５には前記枠材１２を前記螺子１６で固着し、前記曲げ片２６には前記枠材１１を前記螺子１８で固着してもよい。
【００２７】
又、前記曲げ片２５，２６の幅寸法を略芯材７の厚みと同等とし、前記曲げ片２５，２６を相互に重ね、重ねられた曲げ片２５，２６に前記枠材１１、前記枠材１２を前記螺子１８、前記螺子１６で固着してもよい。
【００２８】
前記曲げ片２５，２６を短冊状とすることで、該曲げ片２５，２６を変形させることが可能となり、前記枠材１１，１２を取付ける際に、前記曲げ片２５，２６を変形させることにより製作誤差、組立て誤差が吸収される。
【００２９】
又、前記曲げ片２５，２６の形成としては抜起しでも、絞り成形でもよい。更に、曲げ片は前記表面材２１，２２の一方にのみ設けてもよい。
【００３０】
又、いずれの構成に於いても前記曲げ片２５，２６の形状は短冊状に限らず、台形状、楕円形状等種々の形状とすることが可能であり、更に前記曲げ片２５，２６を前記開口部２３，２４の全長に亘って形成することで、開口部の補強部材とすることができる。この場合、前記曲げ片２５と前記曲げ片２６とが干渉しない様にする場合は、前記曲げ片２５と前記曲げ片２６の幅寸法を調整する。
【００３１】
又、上記実施の形態では、金属製の板材によりなるドアに実施した場合を説明したが、パーティションのパネルに実施してもよく、或は補助材９を有するパネル６に対して、芯材７に対する表面材８の位置ずれ防止の為に前記曲げ片を形成してもよい（図４参照）。
【００３２】
更に上記実施の形態では、前記曲げ片２５，２６を小窓用開口部周縁の直線状部分に設ける例を説明したが、小窓用開口部周縁が曲線によって構成される場合は、小窓用開口部周縁の曲線状部分に前記曲げ片２５，２６を設けてもよい。
【００３３】
上述した如く、前記表面材２１，２２を前記芯材７にプレス圧着で貼設する工程で、前記芯材７に対してずれを生じることが防止され、このずれの発生による手直し、再製作をする必要がなくなり、製作性が向上し、製作費の低減が図れる。
【００３４】
又、前記曲げ片２５，２６は前記螺子１６、前記螺子１８を固着する為の強度部材として機能するので、開口部の補助材が省略でき、部品点数が減少し、製作費が低減する。
【００３５】
尚、本発明に使用される芯材７、枠材１１，１２の材質は特に限定されないが、例示するならば、芯材７の材質は紙、発泡樹脂等、枠材１１，１２の材質は鉄、アルミ、ステンレス等の金属や木、合成樹脂等が挙げられる。
【図面の簡単な説明】
【００３６】
【図１】本発明の実施の形態を示す分解斜視図である。
【図２】図３のＡ−Ａ矢視相当図である。
【図３】小窓を有するパネルとして間仕切り用ドアを示す正面図である。
【図４】図３のＡ−Ａ矢視図である。
【符号の説明】
【００３７】
１              間仕切り用ドア
２              小窓
３              ドア本体
４              小窓枠
５              窓ガラス
６              パネル
７              芯材
１１            枠材
１２            枠材
２１            表面材
２２            表面材
２３            開口部
２４            開口部
２５            曲げ片
２６            曲げ片
【図１】
0004783677.tif 000002
【図２】
0004783677.tif 000003
【図３】
0004783677.tif 000004
【図４】
0004783677.tif 000005